(57)【特許請求の範囲】
【請求項１】
床スラブに立設される床支持脚と、
上記床支持脚の上部に架け渡される金属製の大引材と、
これら大引材と直交する方向に並設され、上記大引材に取り付けられるフランジ部を下端部に有する断面ハット形状の金属製の根太材と、
各根太材の上部に根太材と同一方向に向けて固定される長尺板状の木製、又は木質製の床材とを有し、
止着具を用いて上記床材を上記根太材に固定し、隣り合う上記根太材同士の間及び床材同士の間には、それぞれ雨水を逃がすための所定の隙間を設けたことを特徴とする屋外デッキ構造。
【請求項２】
上記床材の裏面に長手方向に溝部を設け、上記根太材の上面部から側面部にかけて形成される凸部に、上記床材の溝部を嵌合したことを特徴とする請求項１に記載の屋外デッキ構造。
【請求項３】
上記床材の裏面と接する上記根太材の上面部には、通気のための孔が設けられたことを特徴とする請求項１又は請求項２に記載の屋外デッキ構造。
【発明の詳細な説明】
【０００１】
【発明の属する技術分野】
本発明は、屋外に敷設されるデッキ構造に関する。
【０００２】
【従来の技術】
近年、ウォーターフロント開発、屋外店舗の流行、或いは消費者の自然指向等により屋外デッキの採用が盛んである。この屋外デッキ構造に用いられる床材の材料としては、ジャラ、セランガンバツ、イペなどの超硬木が使用されている。図４は、上記超硬木を床材７４に用いた従来の屋外デッキ構造を示したものである。
【０００３】
このデッキ構造は同図に示すように、床スラブ１０の上に床支持脚６０を立設し、この床支持脚６０の受け板６４の上部に根太材６６を一定の間隔をおいて敷設し、この根太材６６に直交するように床材７４を架設固定したものである。この固定の際には、床材７４のうちで根太材６６の上部に位置する箇所を、ビス７６等の止着具を用いて根太材６６の上面部６８に固定する。
【０００４】
上記屋外デッキは雨水にさらされるため、図５（ａ）（ｂ）に示すように、床材７４同士の間に隙間（Ｄ）が形成され、この隙間から雨水は床下に流れ落ちる。この雨水は、床下のコンクリートの床スラブ１０に形成された水勾配によって排水路に導かれる。
【０００５】
一般に上記隙間（Ｄ）の幅は、４〜６ｍｍ程度に設計されており、この幅が６ｍｍ以上だと、自然乾燥により床材が収縮して隙間幅が拡大し、例えばハイヒールの踵がはまってしまうという不都合が生じる一方、隙間が４ｍｍ以下だと、梅雨の時期等に水を吸って膨張した床材７４同士が押し合って盛り上がる、いわゆるアバレ現象を起こすことがある。特に、自然木では自然環境の変化による伸縮が繊維と直交する方向では大きく、このため十分な幅の隙間（Ｄ）を確保しておく必要がある。
【０００６】
また、資源のリサイクルとして環境対策上も利用が期待されている再生木材は、一般に５０％以上の木粉と５０％以下の合成樹脂とを混ぜて作られるが、温度や湿度の変化に対する特性は合成樹脂に近い。この再生木はその伸縮に方向性がないため、再生木を用いたデッキ構造では、隙間幅の伸縮に対する考慮がほとんど不要であるという利点がある一方、天然木と比べて強度が低いという欠点がある。
【０００７】
【発明が解決しようとする課題】
さて、上記従来のデッキ構造では、床材７４の耐荷重強度は根太材６６の間隔、及び床材７４の板厚等により左右される。このため、例えば自動車等が通過可能な強度を得ようとすると、図６（ａ）（ｂ）に示すように、床材７４を支持する根太材６６同士の間隔（Ｐ）を狭くするか或いは床材７４の板厚を高めることが考えられるが、材料費及び作業量等が増えてコスト高になるという問題がある。
【０００８】
これと同様に、上記再生木を床材７４として用いた場合、硬木と同程度の耐荷重性を得るためには従来のデッキ構造では、上記間隔（Ｐ）を狭くし、或いは床材７４の板厚を厚くせざるをえないが、高価な再生木を厚くすると材料費が高くなり、また根太材６６を多く敷設すると作業量が増えてコスト高になるという問題がある。さらに、間隔（Ｐ）が狭いと、間隔（Ｐ）と隙間（Ｄ）により得られる空間が僅かとなり、雨水の排水に支障が生じる。
【０００９】
また従来のデッキ構造では、床材７４の止着は、根太材６６に載置されている部位のみに限られるため、床材７４の反りや曲がり等の暴れを有効に防止することができない。さらに、床材７４同士の接合は必ず根太材６６の上部で行うため、固定のためのビスを小口の直近に打つ必要があり、このビスの打設が床材７４の小口割れを誘発する原因となっていた。
【００１０】
また、硬木からなる床材７４は多少の反りや曲がりは避けられず、加えて硬質であるため、敷設作業には万力やバールを用いて反り、曲がり等を矯正しながらビス止めを行う必要があり、このため床材７４の固定には困難を伴っていた。また、屋外デッキは長期間の使用を前提としているが、従来のデッキ構造では、長年の使用により床材７４に曲がり、反り等が生じて床の表面が凹凸になり、又ビス抜けも発生するという問題があった。
【００１１】
本発明は、上記問題点に鑑みてなされたものであり、施工性及び経済性に優れるとともに、耐荷重性、耐久性にも優れた屋外デッキ構造を提供することを目的とする。
【００１２】
【課題を解決するための手段】
以上の技術的課題を解決するため、本発明に係る屋外デッキ構造は、図１に示すように、床スラブに立設される床支持脚１と、上記床支持脚１の上部に架け渡される金属製の大引材２と、これら大引材２と直交する方向に並設され、上記大引材２に取り付けられるフランジ部を下端部に有する断面ハット形状の金属製の根太材３と、各根太材３の上部に根太材３と同一方向に向けて固定される長尺板状の木製、又は木質製の床材４とを有し、止着具を用いて上記床材４を上記根太材３に固定し、隣り合う上記根太材３同士の間及び床材４同士の間には、それぞれ雨水を逃がすための所定の隙間を設けた構成である。上記床材４の材料としては、デッキ感覚を出すためには非金属製の材料が好適であり、例えば自然木、合成樹脂材料、又は木粉と合成樹脂とを混練した再生木等がある。
【００１３】
これに加えて、上記床材４の裏面に長手方向に溝部４６を設け、上記根太材３の上面部から側面部にかけて形成される凸部に、上記床材４の溝部４６を嵌合した構成である。
【００１４】
さらに、上記床材４の裏面と接する上記根太材３の上面部には、通気のための孔が設けられた構成である。
【００１５】
【発明の実施の形態】
以下、本発明に係るデッキ構造の実施の形態を図面に基づいて説明する。
このデッキ構造は図１に示すように、列状に敷設した大引材２の上に、これと直交する方向に根太材３を並設し、さらに根太材３の上部に、根太材３の長手方向と同じ方向に床材４を配置し固定するものである。
【００１６】
上記床材４は、図２（ａ）に示すように、表面部４０、側面部４２、裏面の両端部が下方に突出した突出部４４、及びこれら突出部４４により凹状に形成された溝部４６を有する長尺状の板材である。床材４の材料は、従来から用いられているジャラ、セランガンバツ、イペ等の硬木、合成樹脂材、又は木粉と合成樹脂とを混練した再生木の何れをも用いることができる。
【００１７】
上記硬木を用いた場合には、板厚が薄くて済むことから、高価な硬木をより広い範囲に用いることができ経済的である。また、上記再生木は天然木と比べて強度的に劣るが、このような再生木も上記根太材３で補強されるので問題なく利用できる。この根太材３により強度が補強されるのは、合成樹脂材を用いた場合であっても同様である。上記再生木或いは合成樹脂材を床材に加工（押し出し型を用いた押出し成形）する場合、見かけの大きさと曲げ強度を確保するため、長手方向に中空が形成された床材を用いてもよい。
【００１８】
上記根太材３の形状は、図２（ｂ）又は図２（ｃ）に示すように、上面部３０、左右の側面部３２及びフランジ部３４を有する断面ハット状をなしている。また上記床材４はその溝部４６を、根太材３の上面部３０から側面部３２にかけて形成された凸部に嵌入し、根太材３の上面部３０を覆う形態であり、フランジ部３４を含めた根太材３の幅は、床材４の幅と略同一である。この根太材３の上面部３０は、図１に示す単純な平面形状以外に、図２（ｂ）に示すように多くの通気孔３６を一様に穿設し、或いは図２（ｃ）に示すように上面部３０の幅の半分程度の直径を有する通気孔３８を一列に穿設したものがある。
【００１９】
硬木を用いた床材４は、表裏の一方のみが膨張し或いは乾燥により収縮すると、そのギャップによりいわゆるカップ反りを起こす場合がある。上記デッキ構造においては、根太材３に上記通気孔を設けることにより、床材４の裏面の乾燥を促進してカップ反りの防止が図れる。
【００２０】
上記大引材２は、断面ハット状の長尺材であり、天板部２２、側板部２４及び左右のフランジ部２６を有する。脚部材１は、ステンレス鋼製のボルト体１１、このボルト体１１に螺合するナット１６、及びボルト体１１の上部に高さ調整可能に取りけられた円板状の天板部１２を有している。また、この天板部１２には防振用の受け部材１８が配置され、ボルト体１１の下部近傍には座金１４が螺着されている。
【００２１】
上記根太材３及び大引材２の材料は、いずれも耐食タイプのメッキを施した鋼板からなる。この鋼板はより具体的には、亜鉛・アルミニウム・マグネシュウム合金メッキを施した表面処理鋼板である。これらの鋼製の大引材２、鋼製の根太材３は、寸法精度が安定しており、木材のように湿気や乾燥により曲がったり捩れたりすることがない。上記鋼板の他には、ステンレス鋼板等の金属材料を用いることもできる。
【００２２】
施工に際しては、図１又は図３に示すように、コンクリート等の床スラブ１０に列状にドリル等で複数の穴部１３を設け、これら穴部１３内にエポキシ接着剤を充填する。そして、この穴部１３に脚部材１のボルト体１１の下部を埋設し、併せて天板部１２の高さ調整を行う。そして、各脚部材１間に大引材２を架設し、脚部材１の天板部１２と大引材２のフランジ部２６との間に受け部材１８を介在させ、ビス等を用いて大引材２を天板部１２に固定する。このようにして、複数の大引材２を所定の間隔をおいて平行列状に敷設する。
【００２３】
上記大引材２の上に、大引材２と直交する方向に根太材３を並べて配置する。このとき、隣り合う根太材３同士は、雨水の流出のために一定幅の隙間（Ｓ）を設けておく。これら相互の緊合には、ステンレス鋼製のセルフドリル可能なビス５等の止着具を用い、根太材３のフランジ部３４を大引材２の天板部２２に固定する。これら大引材２及び根太材３は共に金属材料からなり、このため相互の緊合はビス５を用いることで容易かつ迅速に行える。
【００２４】
さらに、根太材３と同じ向きに床材４を配置し、床材４の溝部４６を、根太材３の上面部３０と側面部３２による凸状部位に嵌合被着させる。このとき、床材４の側面部４２は、根太材３の上面部３０の端部から横方向に突出するが、この突出幅は根太材３のフランジ部３４の幅と略同程度である。このため、根太材３同士の隙間と床材４同士の隙間とは、略同程度の間隔（Ｓ）となる。したがって、根太材３のみ位置決めしておけば、床材４は根太材３に嵌合するのみで位置が決められるので、改めて床材４の位置決めをする必要はない。
【００２５】
そして、作業者は既に取り付けられている根太材３に床材４を嵌め合わせて、順次、体重を移動させながらビス止め作業を行う。この際、床材４の所定位置において、ステンレス製のセルフドリリング可能なビス６等の止着具を用いて、床材４を根太材３の上面部３０に止着する。長手方向の床材４同士は、根太材３の上部で接続されるため、床材４同士の継ぎ目は根太材３のどの位置であってもよく、従来のデッキ構造のように接続は根太材６６の上部に限られる、というものではない。また、接続に際しては床材４の接続部位の近傍をビス６止めするが、このビス６の位置は床材４の小口から充分な間隔をとることができるため、小口割れも防げる。
【００２６】
さて、上記実施の形態に係るデッキ構造では、従来のデッキ構造に比べて、必要とする根太材３の量は４〜５倍となり、また根太材３の幅を広くする必要がある等、実質的に必要な鋼板の量は約６倍程度となる。しかし、超硬木の床材４は高価であり、また硬木ゆえに曲がり、反り、ねじれ、などを矯正することが難しく、これらを考慮した施工費用は、上記鋼板の量の増加に伴うコスト増をしのぐ費用が見込まれている。このため、この実施の形態に係るデッキ構造は経済性においても合理的である。
【００２７】
また従来のデッキ構造では、床材７４の継ぎ目はビス止めの都合上、必ず根太材６６の上部で行う必要があり、このため根太材６６を越える端部は切り捨てることになる。この点、上記デッキ構造では床材４同士の継ぎ目の位置に制約はないことから、床材４を無駄なく利用することができ経済効果も得られる。
【００２８】
さらに、このデッキ構造では、床材４の大部分が根太材３の上面部３０で支持されるため、従来の床材７４より厚さの薄い床材４を使用しても、これに根太材３の強度が加えられるため、優れた耐荷重特性を得ることができる。加えて、根太材３は曲げ強度が強く、さらに鋼材を厚くする等により容易に根太材３の強度を高めることができ、このため上記デッキ構造では、床材４に大きな耐荷重性が得られ、人だけでなく乗用車等の通過、催しの機材等の設置も可能となる。
【００２９】
また従来のデッキ構造では、床材７４を止着するビスは、床材７４と交差する根太材６６の部位以外には打つことができないが、この実施の形態に係るデッキ構造では、根太材３の全体に床材４が配置される形態であるため、ビス６の止着を適宜の位置で行える。したがってこのデッキ構造では、従来のデッキ構造に比べて、数多くのビス６を打つことが可能となり、床材４を強固に固定することができ、これにより床材４の反りや曲がり等の暴れを防止することができ、またビス６の模様打ち等も可能となる。
【００３０】
また、この実施の形態においては、根太材３の補強効果により、曲げ強度の弱い再生木、合成樹脂材を床材４として有効に使用することができる。再生木はその伸縮に方向性がないため、再生木を用いたデッキ構造では、隙間幅の伸縮に対する考慮がほとんど不要であり、もっぱら排水のための隙間幅を確保すれば足り好都合である。さらに従来は、万力等を用いて固定してからでないとビス止めが出来なかったが、上記実施の形態では、作業者が床材４を踏みつけながらビス止めするという作業のみで床材４が固定でき、床材４の曲がり等の狂いを容易に矯正でき、労せずして床材４の敷設作業が行える。このため上記デッキ構造に係る作業能率は大幅に改善される。
【００３１】
【発明の効果】
以上説明したように、本発明に係る屋外デッキによれば、金属製の大引材と直交して架け渡される断面ハット形状の金属製の根太材と、各根太材の上部に固定される長尺板状の床材とを有し、根太材同士の間、及び床材同士の間に隙間を設けた構成を採用したから、施工が容易かつ迅速に行えるとともに経済性にも優れ、また耐荷重性、耐久性にも優れるという効果を奏する。
【００３２】
また、床材の裏面に設けた溝部を根太材の凸部に嵌合する構成を採用したから、床材の取り付け作業が容易かつ迅速に行え、施工性に優れるという効果がある。
【００３３】
さらに、床材の裏面と接する根太材の上面部には、通気のための孔が設けられた構成を採用したから、床材の乾燥が良好に行えるという効果がある。
【図面の簡単な説明】
【図１】本発明の実施の形態に係る屋外デッキ構造の斜視図である。
【図２】実施の形態に係り、（ａ）は床材を、（ｂ）は通気孔を設けた根太材を、（ｃ）は他の根太材を示す図である。
【図３】実施の形態に係る屋外デッキ構造の断面を示す図である。
【図４】従来例に係る屋外デッキ構造を示す図である。
【図５】屋外デッキ構造に係り、（ａ）は平面を、（ｂ）は側面を示す図である。
【図６】根太材の間隔を狭くした屋外デッキ構造に係り、（ａ）は平面を、（ｂ）は側面を示す図である。
【符号の説明】
１  床支持脚
２  大引材
３  根太材
４  床材
【図１】
0003618711.tif 000002
【図２】
0003618711.tif 000003
【図３】
0003618711.tif 000004
【図４】
0003618711.tif 000005
【図５】
0003618711.tif 000006
【図６】
0003618711.tif 000007